(57)【要約】【課題】冷蔵庫の扉の操作力を軽くする機構に関し、構造が簡単で組み立て工数が少なく、コストが安く外観品位を高めたハンドルを提供する。【解決手段】断熱箱体１５の前面開口部に設けたヒンジ式の扉１７の側面を支点とし手動式で作動するハンドル取っ手部２５を備えたハンドル本体２１を有し、ハンドル本体２１の作動により取っ手部２５と反対側のハンドル端部３０と、ハンドル端部３０に設けた保護カバー３１とから構成されているので、取っ手部２５を手動で作動（手前に引く）させた時、てこの原理により扉１７を軽い操作力で開くことができる。また、ハンドル本体２１の側面部が扉１７の側面部に埋め込まれているので、カバーシャフト３２を取り付け後の表面と扉１７の左上下側面と断熱箱体１５の左側面が同一面であり外観上品位を保つことができ、組立工数が少なくコストの低いハンドルを提供できる。【選択図】図３
2005127656.tif 000002
【特許請求の範囲】
【請求項１】
断熱箱体の前面開口部に設けたヒンジ式の扉と、前記扉の側面を支点とし手動式で作動する取っ手部を備えたハンドル本体と、前記取っ手部の作動により可動する取っ手部と反対側のハンドル端部と、貯蔵室の開口フランジに当接する前記ハンドル端部に設けた部品とを備えた冷蔵庫において、前記ハンドル本体の支点部が前記扉の側面部に埋め込まれ、前記支点部を有する扉側面部を一直線に形成したことを特徴とする冷蔵庫。
【請求項２】
ハンドル本体の取っ手部と支点間の距離を、開口フランジに当接押圧するハンドル端部と支点間の距離の２倍以上とし、前記支点部にスプリングを設け、ハンドル本体の支点近傍にストッパーを一体成形したことを特徴とする請求項１に記載の冷蔵庫。
【請求項３】
ハンドル本体を前部カバーと後部カバーで覆い、前記ハンドル本体の取っ手部に設けられた貫通穴に前部カバーのボスを貫通させ、後部カバーの突起部を前記ボス内に挿入させたことを特徴とする請求項１または２に記載の冷蔵庫。
【請求項４】
前記扉の側面部にハンドル本体の支点を支えるシャフトネジと前記シャフトネジを固定する補強板と、シャフトネジの外周に設けられたスプリングと、このスプリングの片端を前記補強板の穴に挿入させ固定したことを特徴とする請求項１から請求項３のいずれか一項に記載の冷蔵庫。
【請求項５】
ハンドル本体の支点部と前記支点を支えるシャフトネジと、前記シャフトネジを挿入しハンドル本体を保持するスリーブをハンドル本体と一体成形したことを特徴とする請求項１から請求項４のいずれか一項に記載の冷蔵庫。
【請求項６】
貯蔵室の開口フランジに当接する前記ハンドル端部に設けた部品を硬質ゴムとしたことを特徴とする請求項１から請求項５のいずれか一項に記載の冷蔵庫。
【発明の詳細な説明】
【技術分野】
【０００１】
本発明は、冷蔵庫の扉のハンドルに関するものである。
【背景技術】
【０００２】
近年、冷蔵庫においては顧客ニーズにより開扉力の軽いハンドル機構が必要となっている。そこで、冷蔵庫の扉を軽い力で開く方法として、てこの原理を応用した外観上美しく洗練されたデザインのハンドル機構を扉表面及び内面に設けていた（例えば、特許文献１参照。）。
【０００３】
以下、図面を参照しながら上記従来の軽い操作力で扉を開く冷蔵庫のハンドル機構を説明する。
【０００４】
図７は従来の冷蔵庫扉のハンドル機構部の断面図である。図７において１は冷蔵庫の扉であり、外板２、内箱３に囲まれた空間内に発泡断熱材４を有する。扉１の外板２に手動で作動する取っ手部材５とこの取っ手部材５と連動して開口フランジ６に当接押圧するレバー７を備えたハンドル８を設け、取っ手部材５は外板２の端面２aから離間した位置に配設される。また、ハンドル８は基部９と挟持部材１０、化粧板１１から構成され、手動で作動する取っ手部材５は、支点となるシャフト１２と、シャフト１２に挿入されたスプリング１３とで連動され、当接押圧するレバー７を作動させる。外観は扉１と一体化した品位のあるハンドル８から構成されている。
【０００５】
以上のように構成された冷蔵庫のハンドルにおいて、取っ手部材５を手動で作動させる（手前に引く）と、連動してレバー７が作動し開口フランジ６側に突き当り、扉１をてこの原理により軽い操作力で開けることが出来る。
【特許文献１】特開２００２−３１４７３号公報
【発明の開示】
【発明が解決しようとする課題】
【０００６】
しかしながら、上記従来の構成は、ハンドル８は外板２と一体化した品位のある構成をとっている為、発泡断熱材４の中には、ハンドル８の構成部品である基部９と挟持部材１０、化粧板１１と、手動で作動する取っ手部材５は、支点となるシャフト１２と、シャフト１２に挿入されたスプリング１３とで連動され、当接押圧するレバー７が設置されている為、構造が複雑で構成部品が多く、組立て工数がかかり、コストも高くなるという問題があった。
【０００７】
本発明は上記従来の課題を解決するもので、構造が簡単で組立て工数が少なく、コストが安く外観品位のある、扉を開く操作力が軽い冷蔵庫を提供することを目的とする。
【課題を解決するための手段】
【０００８】
本発明の冷蔵庫は、断熱箱体の前面開口部に設けたヒンジ式の扉と、前記扉の側面を支点とし手動式で作動する取っ手部を備えたハンドル本体と、前記取っ手部の作動により可動する取っ手部と反対側のハンドル端部と、貯蔵室の開口フランジに当接する前記ハンドル端部に設けた部品とを備えた冷蔵庫において、前記ハンドル本体の支点部が前記扉の側面部に埋め込まれ、前記支点部を有する扉側面部を一直線に形成したものであり、ハンドルの側面が扉の側面と同一面となっている為、外観品位が良い。また、構成部品が少ない為、組立て工数が少なく、コストの低い、てこの原理により扉を開く操作力が軽い。
【発明の効果】
【０００９】
以上説明したように本発明は、断熱箱体の前面開口部に設けたヒンジ式の扉と、前記扉の側面を支点とし手動式で作動する取っ手部を備えたハンドル本体と、前記取っ手部の作動により可動する取っ手部と反対側のハンドル端部と、貯蔵室の開口フランジに当接する前記ハンドル端部に設けた部品とを備えた冷蔵庫において、前記ハンドル本体の支点部が前記扉の側面部に埋め込まれ、前記支点部を有する扉側面部を一直線に形成したことにより、ハンドル取っ手部を手動で作動（手前に引く）させた時、てこの原理により扉を軽い操作力で開くことができる。また、ハンドル本体の側面部が扉の側面部に埋め込まれているので、カバーシャフトを取り付け後の表面と扉の左上下側面と断熱箱体の左側面が同一面となり外観上品位を保つことができ、組立工数が少なくコストの低いハンドルを提供できる。
【発明を実施するための最良の形態】
【００１０】
本発明の請求項１に記載の発明は、断熱箱体の前面開口部に設けたヒンジ式の扉と、前記扉の側面を支点とし手動式で作動する取っ手部を備えたハンドル本体と、前記取っ手部の作動により可動する取っ手部と反対側のハンドル端部と、貯蔵室の開口フランジに当接する前記ハンドル端部に設けた部品とを備えた冷蔵庫において、前記ハンドル本体の支点部が前記扉の側面部に埋め込まれ、前記支点部を有する扉側面部を一直線に形成したものであり、ハンドルの側面が扉の側面と同一面となっている為、外観品位が良い。また、構成部品が少ない為、組立て工数が少なく、コストの低い、てこの原理により扉を開く操作力が軽い。
【００１１】
本発明の請求項２に記載の発明は、請求項１に記載の発明において、ハンドル本体の取っ手部と支点間の距離を、開口フランジに当接押圧するハンドル端部と支点間の距離の２倍以上とし、前記支点部にスプリングを設け、ハンドル本体の支点近傍にストッパーを一体成形したものであり、軽い力でハンドルの取っ手部を前方向に作動させ扉を開放した後に、ハンドルが元の位置まで自動で動作する。また、ストッパー部品を削減できる
本発明の請求項３に記載の発明は、請求項１または２に記載の発明において、ハンドル本体を前部カバーと後部カバーで覆い、前記ハンドル本体の取っ手部に設けられた貫通穴に前部カバーのボスを貫通させ、後部カバーの突起部を前記ボス内に挿入させたものであり、前部カバーとハンドル本体と後部カバーの3部品の固定が確実になる。
【００１２】
本発明の請求項４に記載の発明は、請求項１から請求項３のいずれか一項に記載の発明において、前記扉の側面部にハンドル本体の支点を支えるシャフトネジと前記シャフトネジを固定する補強板と、シャフトネジの外周に設けられたスプリングと、このスプリングの片端を前記補強板の穴に挿入させ固定したものであり、ハンドルを作動させ扉の開閉を繰り返してもスプリングが外れず安定した品質が保てる。
【００１３】
本発明の請求項５に記載の発明は、請求項１から請求項４のいずれか一項に記載の発明において、ハンドル本体の支点部と前記支点を支えるシャフトネジと、前記シャフトネジを挿入しハンドル本体を保持するスリーブをハンドル本体と一体成形したものであり、部品点数を削減できると共にスリーブとハンドルの直角度を安定した品質が保てる。
【００１４】
本発明の請求項６に記載の発明は、請求項１から請求項５のいずれか一項に記載の発明において、貯蔵室の開口フランジに当接する前記ハンドル端部に設けた部品を硬質ゴムとしたものであり、ハンドルを繰り返し作動させても貯蔵室の開口フランジを傷付けない。
【００１５】
以下、本発明による冷蔵庫の実施の形態について、図面を参照しながら説明する。なお、従来と同一構成については、同一符号を付して詳細な説明を省略する。
【００１６】
（実施の形態１）
図１は、本発明の実施の形態１による冷蔵庫の正面図、図２は、同実施の形態の冷蔵庫のハンドル部側面図、図３は、同実施の形態の冷蔵庫のハンドル部の平面断面図である。
【００１７】
図1から図３に示すように、冷蔵庫１４は、断熱箱体１５の開口フランジ１６の前面に取り付けられたヒンジ式の扉１７が設けられている。扉１７は外板１８と内箱１９に囲まれた空間内に発泡断熱材２０を有する。
【００１８】
扉１７の側面にはハンドル本体２１が特殊形状に加工されたシャフトネジ２２で保持されている。シャフトネジ２２は扉１７の側面に設けられた樹脂成形品のケース２３を介しケース２３の内側に取り付られた鉄板製の補強板２４に固定されている。補強板２４はハンドル本体２１操作時の応力に耐えうる為、板厚を１．２mm確保し発泡断熱材２０中に設置することで強度を保っている。また、ハンドル本体２１の強度は通常の扉１７の開閉時だけでなく、小さな子供がぶら下がった場合の強度も確保すべく鉄板製とし、鉄板の板厚も２．９mm確保している為,ハンドル取っ手部２５を握った場合上下方向は３００N以上の引張強度を確保し、左右・前後方向は２００N以上の引張強度を確保している。また、鉄板の板厚を薄くする場合は、自動車用鋼板等の強度が高い材料を採用することも出来る。
【００１９】
ハンドル本体２１の取っ手部２５は扉１７の前面に配設するように、扉側面の支点部から約９０度曲げられている。取っ手部２５は手で握り易いようにハンドル本体２１に、前部カバー２６と後部カバー２７を装着させている。前部カバー２６の取っ手部には化粧板２８が取付られ、化粧版２８は材料をAS樹脂等透明品にすることにより、片面（前部カバー２６に接する側）に好みの色に塗装でき外観品位を良くすることができる。
【００２０】
ハンドル本体２１の動作をスムーズにする為、ケース２３の内側に固定したシャフトネジ２２の外周にスプリング２９を設置している。スプリング２９はハンドル取っ手部２５を手で握り操作し易いように、バネ線鋼を用い線形を1.４mmで3巻き程度にし操作力を調整している。
【００２１】
ハンドル本体２１の支点から開口フランジ１６側のハンドル端部３０には、開口フランジ１６に当接押圧する保護カバー３１が設けられ、ハンドル本体２１の支点部にはハンドル本体２１とシャフトネジ２２を覆い隠すカバーシャフト３２が取り付けられており、カバーシャフト３２の上下には複数の爪３３（図示せず）が設けられ、ケース２３の穴に挿入固定される。よってカバーシャフト３２の表面と扉１７の左側面と断熱箱体１５の左側面が同一面となる。
【００２２】
以上のように本実施の形態の冷蔵庫は、断熱箱体１５の前面開口部に設けたヒンジ式の扉１７の側面を支点とし手動式で作動するハンドル取っ手部２５を備えたハンドル本体２１を有し、ハンドル本体２１の作動により取っ手部２５と反対側のハンドル端部３０と、ハンドル端部３０に設けた保護カバー３１とから構成されているので、取っ手部２５を手動で作動（手前に引く）させた時、てこの原理により扉１７を軽い操作力で開くことができる。また、ハンドル本体２１の側面部が扉１７の側面部に埋め込まれているので、カバーシャフト３２を取り付け後の表面と扉１７の左上下側面と断熱箱体１５の左側面が同一面であり外観上品位を保つことができ、組立工数が少なくコストの低いハンドルを提供できる。
【００２３】
（実施の形態２）
図２、図４は、本発明の実施の形態２による冷蔵庫の左側面図である。図２、図４において、ハンドル本体２１のハンドル取っ手部２５と支点（シャフトネジ２２の中心）間の距離Aを、開口フランジ１６の当接押圧するハンドル端部３０と支点（シャフトネジ２２
の中心）間の距離Bの２倍以上確保した構成となっている為、ハンドル本体２１の取っ手部２５を握り、手動で作動させた（引いて扉１７と反対側に倒す）時は、シャフトネジ２２の外周に設置されたスプリング２９は線形１．４mmで内径１８mm、巻き数を３巻き程度とすることにより、開扉力はてこの原理により約１０Nでスムーズに作動しハンドル端部３０に設けられた保護カバー３１が、開口フランジ１６を当接押圧し、扉１７が軽い操作力で開く。扉１７が開くとスプリング２９に応力がかかったままとなる為、スプリング２９の戻ろうとする力でハンドル本体２１は扉１７側へ戻される。この時、ハンドル本体２１に一体成形されたストッパー形状３４がケース２３の壁面３５に当り、所定の位置にハンドル本体２１と取っ手部２５を戻すことができる。
【００２４】
以上のように本実施の形態の冷蔵庫はハンドル本体２１の取っ手部２５と支点（シャフトネジ２２の中心）間の距離Aを、開口フランジ１６の当接押圧するハンドル端部３０と支点（シャフトネジ２２の中心）間の距離Bの２倍以上確保した構成となっている為、てこの原理により取っ手部２５を作動させた時、扉１７を軽い操作力で開くことができる。またハンドル本体２１にストッパー形状３４を一体成形しているので、部品点数を削減できると共にストッパー形状３４の仕上がりバラツキなく品質確保が容易になるので、所定の位置にハンドル本体２１と取っ手部２５を戻すことができる。
【００２５】
（実施の形態３）
図５は、本発明の実施の形態３による冷蔵庫のハンドル取っ手部の要部断面図である。図５においてハンドル本体２１は前部カバー２６と後部カバー２７で覆い、ハンドル本体に設けられた穴３６に前部カバー２６のボス３７を貫通させ、さらに後部カバー２７の突起３８を挿入し固定している。
【００２６】
以上のように本実施の形態の冷蔵庫は、ハンドル本体２１に鉄板材料を用いハンドル取っ手部２５に設けた複数のハンドル穴３６に、樹脂成形品である前部カバー２６の裏面に一体で成形したボス３７を貫通させている。樹脂成形品の後部カバー２７の裏面にはボス３７と相対した位置に突起３８が設けられており、突起３８がボス３７に挿入され固定されているので、前後カバーとハンドル本体２１の隙によるガタツキを防止できる。
【００２７】
（実施の形態４）
図４、図６は、本発明の実施の形態４による冷蔵庫のハンドル支点部取付図である。図４、図６においてスプリング２９は片方の端部C３９をハンドル本体２１の側面部切り欠き４０に引掛け、もう一方の端部D４１はケース２３の貫通穴４３を経て、補強板２４の穴４２に挿入している。
【００２８】
以上のように本実施の形態の冷蔵庫は、スプリング２９の片端部D４１を鉄板製の補強板２４の穴４２に挿入しているので、ハンドル本体２１の繰り返し動作で扉１７の開閉１０万回による応力にも十分耐えうる。
【００２９】
（実施の形態５）
図６は、本発明の実施の形態５による冷蔵庫のハンドル支点部の拡大図である。図６においてハンドル本体２１の支点部には、シャフトネジ２２が設けられており、シャフトネジ２２の外周にはハンドル本体２１と一体で成形された円筒フランジ部４４が形成されている。
【００３０】
以上のように本実施の形態の冷蔵庫は、ハンドル本体２１に円筒フランジ部４４を一体成形しているので、フランジ部４４を別部品で作成しハンドル本体２１に取付ける場合の傾きを防止でき、フランジ部４４の垂直度が確保し易い為、冷蔵庫正面から見た場合のハンドル本体２１の傾きを防止できる。
【００３１】
（実施の形態６）
図３と図４は、本発明の実施の形態６による冷蔵庫である。図３と図４においてハンドル本体２１の支点部から近傍のハンドル端部３０に、開口フランジ１６に当接押圧する保護カバー３１を装着させており、保護カバー３１の材料は適度に強度を持ったゴムを使用している。
【００３２】
以上のように本実施の形態の冷蔵庫は鉄板製のハンドル端部３０にゴム製の保護カバー３１を装着しているので、扉１７の開閉時ハンドル本体２１の繰返し作動により開口フランジ１６に当接を繰り返した場合でも、開口フランジ１６の表面に傷をつけることがない。
【産業上の利用可能性】
【００３３】
以上のように本発明にかかる冷蔵庫は、ハンドル取っ手部を手動で作動（手前に引く）させた時、てこの原理により扉を軽い操作力で開くことができる。また、外観上品位を保つことができ、組立工数が少なくコストの低いハンドルを提供できるので、冷蔵庫に限らず扉にハンドル機構を備えた機器等に有効に適用できる。。
【図面の簡単な説明】
【００３４】
【図１】本発明の実施の形態１による冷蔵庫の正面図
【図２】同実施の形態の冷蔵庫のハンドル部側面図
【図３】同実施の形態の冷蔵庫のハンドル部の平面断面図
【図４】本発明の実施の形態２の冷蔵庫のハンドル部側面拡大図
【図５】本発明の実施の形態３の冷蔵庫のハンドル取っ手部の要部断面図
【図６】本発明の実施の形態４の冷蔵庫のハンドル支点部断面図
【図７】従来の冷蔵庫扉のハンドル機構部の断面図
【符号の説明】
【００３５】
１５    断熱箱体
１６    開口フランジ
１７    扉
２１    ハンドル本体
２２    シャフトネジ
２４    補強板
２５    取っ手部
２６    前部カバー
２７    後部カバー
２９    スプリング
３０    ハンドル端部
３１    部品（保護カバー）
３４    ストッパー
３６    貫通穴
３７    ボス
３８    突起部
４１    スプリング片端
４２    補強板の穴
４４    スリーブ
【図１】
2005127656.tif 000003
【図２】
2005127656.tif 000004
【図３】
2005127656.tif 000005
【図４】
2005127656.tif 000006
【図５】
2005127656.tif 000007
【図６】
2005127656.tif 000008
【図７】
2005127656.tif 000009